(57)【特許請求の範囲】
【請求項１】
油脂粒子の表面において油脂を分解／資化するヤロワイヤ属（Yarrowai）の酵母株と、油脂粒子の内部において油脂を分解／資化するロドコッカス属（Rhodococcus）の放線菌株とを添加して廃液中の油脂を分解／資化させる油脂分解／資化工程を含む廃液処理方法。
【請求項２】
前記油脂分解／資化工程による処理後の浄化水におけるノルマルヘキサン抽出物質含有量が、５ｍｇ／Ｌ以下となるよう処理することを特徴とする請求項１に記載の廃液処理方法。
【請求項３】
前記ヤロワイヤ属の酵母株が、ＨＹ−２３株であることを特徴とする請求項２に記載の廃液処理方法。
【請求項４】
前記ロドコッカス属の放線菌株が、ＰＲ−０４株であることを特徴とする請求項１〜３のいずれか１項に記載の廃液処理方法。
【請求項５】
前記油脂分解／資化工程による処理の後に、凝集剤及び／又は凝結剤を用いて固液分離する凝集分離工程を更に含む請求項１〜４のいずれか１項に記載の廃液処理方法。
【請求項６】
常温の好気性条件下での前記油脂分解／資化工程の処理期間の後で、
前記凝集分離工程後の上澄み液におけるノルマルヘキサン抽出物質含有量が５ｍｇ／Ｌ以下となることを特徴とする請求項５に記載の廃液処理方法。
【請求項７】
前記凝結剤がカチオン性凝結剤であることを特徴とする請求項５又は６に記載の廃液処理方法。
【請求項８】
前記カチオン性凝結剤が、ポリ鉄及び／又はポリアルミニュウム凝結剤であることを特徴とする請求項７に記載の廃液処理方法。
【請求項９】
前記凝集剤が、コロイド値としてマイナス０．１ｍｅｑ／ｇからマイナス５．０ｍｅｑ／ｇを有することを特徴とする請求項７に記載の廃液処理方法。
【請求項１０】
油脂粒子の表面において油脂を分解／資化するヤロワイヤ属（Yarrowai）の酵母株と油脂粒子の内部において油脂を分解／資化するロドコッカス属（Rhodococcus）の放線菌株とによって、廃液中の油脂を分解／資化する油脂分解／資化槽を備えた廃液処理システム。
【請求項１１】
前記油脂分解／資化槽の下流に接続され、凝集剤を用いて固液分離する凝集沈殿槽又は凝集分離槽を更に備えた請求項１０に記載の廃液処理システム。
【発明の詳細な説明】
【技術分野】
【０００１】
本発明は、廃液処理方法及び廃液処理システムに関する。特に、廃液中に含まれる油脂を分解／資化する、廃液処理方法及び廃液処理システムに関する。
【背景技術】
【０００２】
これまで、微生物を用いて廃液中に含まれる油脂を分解／資化する廃液処理方法が知られている（例えば、特許文献１、非特許文献１、２参照）。また、特許文献２には、ロドコッカス・エリスロポリス（Rhodococcus  erythropolis）ＰＲ−０４株を用いた廃液処理方法が開示されている。
【先行技術文献】
【特許文献】
【０００３】
【特許文献１】特開平０８−１５５４８９号公報
【特許文献２】特許第４８７７９００号公報
【非特許文献】
【０００４】
【非特許文献１】環境バイオテクノロジー学会誌  Vol．7  No．1，11‐17，2007
【非特許文献２】用水・排液の産業別処理技術  ｐ190−193
【発明の概要】
【発明が解決しようとする課題】
【０００５】
以下の分析は、本発明の観点からなされたものである。なお、上記先行技術文献の各開示を、本書に引用をもって繰り込むものとする。
【０００６】
上述の微生物を用いた廃液処理方法は、処理効率が十分なものでは無く、改善が求められていた。例えば、日本国環境省が定める排出基準では、ノルマルヘキサン抽出物質含有量（鉱油類含有量）の許容限度は５ｍｇ／Ｌと規定されているが、上述の方法ではこの排出基準を満足することができない場合があった。
【０００７】
そこで、本願では、油脂分解／資化効率が改善された廃液処理方法及び廃液処理システムを提供することを目的とする。
【課題を解決するための手段】
【０００８】
本発明の第１の視点によれば、ヤロワイヤ属（Yarrowai）の酵母株と、ロドコッカス属（Rhodococcus）の放線菌株とを添加して廃液中の油脂を分解／資化させる油脂分解／資化工程を含む廃液処理方法が提供される。なお、該廃液処理方法は、温度、廃液の量、菌体の量、酸素供給量などについては、所定の標準的廃液処理条件の下で行われる。
【０００９】
上記の廃液処理方法において、処理後の浄化水におけるノルマルヘキサン抽出物質含有量が、５ｍｇ／Ｌ以下に達するのに十分な時間処理することが好ましい。
【００１０】
また、上記の廃液処理方法において、ヤロワイヤ属の酵母株が、ＨＹ−２３株であることであることが好ましい。
【００１１】
また、上記の廃液処理方法において、ロドコッカス属の放線菌株が、ＰＲ−０４株であることが好ましい。
【００１２】
また、上記の廃液処理方法において、油脂分解／資化工程による処理の後に、凝集剤及び／又は凝結剤を用いて固液分離する凝凝集分離工程を更に含むことが好ましい。
【００１３】
また、上記の廃液処理方法において、油脂分解／資化工程が、常温の好気性条件下での処理期間の後で、凝集分離工程後の上澄み液におけるノルマルヘキサン抽出物質含有量が５ｍｇ／Ｌ以下となることが好ましい。
【００１４】
また、上記の廃液処理方法において、凝結剤が、カチオン性凝結剤であることが好ましい。
【００１５】
また、上記の廃液処理方法において、カチオン性凝結剤が、ポリ鉄及び／又はポリアルミニュウム凝結剤であることが好ましい。
【００１６】
また、上記の廃液処理方法において、カチオン性凝結剤が、コロイド値としてマイナス０．１ｍｅｑ／ｇからマイナス５．０ｍｅｑ／ｇを有することが好ましい。
【００１７】
本発明の第２の視点によれば、ヤロワイヤ属（Yarrowai）の酵母株とロドコッカス属（Rhodococcus）の放線菌株とによって、廃液中の油脂を分解／資化する油脂分解／資化槽を備えた廃液処理システムが提供される。
【００１８】
上記の廃液処理システムが、油脂分解／資化槽の下流に接続され、凝集剤を用いて
固液分離する凝集沈殿槽又は凝集分離槽を更に備えることが好ましい。
【発明の効果】
【００１９】
本発明の各視点によれば、処理効率が改善された廃液処理方法及び廃液処理システムが提供される。
【図面の簡単な説明】
【００２０】
【図１】本発明の廃液処理方法による解析結果を示す図である。
【図２】廃液処理システムの構成の一例を示すブロック図である。
【図３】廃液処理システムの構成の一例を示すブロック図である。
【発明を実施するための形態】
【００２１】
本発明のとり得る好適な実施形態について図面を参照して詳細に説明する。なお、以下の記載に付記した図面参照符号は、理解を助けるための一例として各要素に便宜上付記したものであり、本発明を図示の態様に限定することを意図するものではない。
【００２２】
［本発明の概要］
先ず、本発明の概要について説明する。本願によれば、ヤロワイヤ属（Yarrowai）の酵母株と、ロドコッカス属（Rhodococcus）の放線菌株とを添加して廃液中の油脂を分解／資化させる油脂分解／資化工程を含む廃液処理方法が提供される。
【００２３】
ヤロワイヤの酵母株は、油脂を分解／資化する酵母の一種であり、例えば、本願発明者らによる先の特許４６５４３３２号には、ヤロワイヤ・リポリティカＹＨ−０１、ＹＨ−０２、ＹＨ−０３株が開示されている。また、本発明において、本願発明者らは、ヤロワイヤ属の酵母株のスクリーニングを再度行い、新たなるＨＹ−２３株を単離した。
【００２４】
ロドコッカス属（Rhodococcus）の放線菌株は、グラム陽性放線菌の一種であり、石油系炭化水素やフェノールなどの殺菌物質を分解／資化する能力を有する。特に、ロドコッカス・エリスロポリスＰＲ−０４株は、プリスタン（例えば、2, 6, 10, 14-Tetramethyl-pentadecane）等の分岐アルカン、トルエン等のアルキルベンゼンを分解／資化する細菌として単離された株である。このＰＲ−０４株は、油水混合液では、油脂粒子内に移行することも知られている（特許文献２）。
【００２５】
本発明において、本願発明者らは、ロドコッカス属の放線菌株が油脂粒子の内部（すなわち油脂内層）において油脂を分解／資化し、その一方でヤロワイヤ属の酵母株が油脂粒子の表面（すなわち油脂表層）において油脂を分解／資化するという特性の違いを見出した。後に詳細に説明するとおり、ロドコッカス属の放線菌株単独での油脂分解／資化効率は、日本国環境省が定める排出基準を満足するものではなかったが、ヤロワイヤ属の酵母株を組み合わせることによって、排出基準を満足する油脂分解／資化効率が達成された。
【００２６】
このように、本発明によれば、油脂分解／資化効率が改善された廃液処理方法及び廃液処理システムが提供される。特に本発明の油脂分解／資化効率は、処理後の浄化水におけるノルマルヘキサン抽出物質含有量が排出基準を満足するという点で顕著なものである。
【００２７】
［定義］
次に、本願において用いられる用語について説明する。
【００２８】
「油脂」とは、動物性油脂、植物性油脂、鉱物油、合成油を含み、水と界面を形成するものであり、「有機溶媒」、「有機化合物」、「炭化水素」などの用語と互換的に用いられる。
【００２９】
「動物性油脂」とは、動物から得られる油脂の総称であり、常温で液体状のものは動物油、常温で固体状のものは動物脂と称される。
【００３０】
「動物油」は、海生生物由来の動物油（魚油、肝油、鯨油など）と陸生生物由来の動物油（さなぎ油、牛脚油、骨油など）に分けられる。
【００３１】
「動物脂」は、ヘット、ラード、馬脂、骨脂、乳酪脂（バター脂）などを含む。
【００３２】
「植物性油脂」とは、植物に含まれる脂肪を抽出又は精製した油脂であり、特に脂肪含有率の高いヤシや大豆、菜種などの種子や果肉から精製される。なお、「動物油」および「植物油」はトリグリセライドなどのグリセライド類、リンを含んだリン脂質、ロウ成分を含む。
【００３３】
「鉱物油（こうぶつゆ）」とは、石油（原油）、天然ガス、石炭などの地下資源由来の炭化水素化合物単体、又は不純物を含んだ混合油脂の総称であり、「鉱油（こうゆ）」、「鉱物性油（こうぶつせいゆ）」などの用語と互換的に用いられる。特に、石油は、石油精製の過程で飽和画分、芳香属画分、レジン画分、アスファルテン画分などに画分されるが、全ての画分及びそれらに窒素や他の分子の含んだものも「鉱物油」と称する。炭化水素の成分構成でＣ重油、Ｂ重油、Ａ重油などに別けて販売されている。
【００３４】
「Ｃ重油」とは、石油の蒸留精製後の残渣油（残油又は釜残油とも称される）と、軽油とを、残渣油：軽油＝９：１の比率で混合したものであり、ノルマルヘキサン抽出物質を含むものである。
【００３５】
「ノルマルヘキサン抽出物質」とは、「ヘキサン抽出物」と互換的に使用され、Ｃ重油に含まれる。ノルマルヘキサン抽出物質含有量（鉱油類含有量）は、日本国環境省が定める排出基準において、許容限度は５ｍｇ／Ｌと規定されており、この基準を満足するように処理された廃液は、浄化水として河川又は下水道へ排出することができる。例えば、平成２７年１１月１３日に改正された下水道法施行令には、
「第９条  法第１２条第１項（法第２５条の１８第１項において準用する場合を含む。）の規定による条例は、次の各号に掲げる項目に関し、それぞれ当該各号に定める範囲内の水質の下水について定めるものとする。
（省略）
三  ノルマルヘキサン抽出物質含有量
イ  鉱油類含有量
１リットルにつき５ミリグラムを超えるもの
（省略）」
と規定されている。
【００３６】
「合成油」とは、トリクロロエチレン類、ＰＣＢ、合成エンジンオイル、切削油を含み、人工的に合成された油脂を意味する。
【００３７】
「分解／資化（degrade/metabolize）」とは、油脂を分解して栄養源として取り込むことを意味する。
【００３８】
「ロドコッカス属（Rhodococcus）の放線菌株」とは、上述の通り、グラム陽性放線菌の一種である。本発明では、芳香属、レジン、アスファルテン成分などの難揮発性化合物の毒性に対して耐性が高く、それらを分解／資化するものが好ましい。特に、ロドコッカス・エリスロポリスＰＲ−０４株は、炭素数２〜８のアルカン、分岐アルカン（プリスタンなど）、アルキルベンゼン（トルエンなど）を分解／資化できることが分かっている。
【００３９】
「ヤロワイヤ属（Yarrowai）の酵母株」とは、上述の通り、油脂を分解／資化する酵母の一種であり、本願発明者らによってＹＨ−０１、ＹＨ−０２、ＹＨ−０３株が単離されている。特に、新規に単離されたＨＹ−２３株を用いることが好ましい。なお、ＨＹ−２３は、ＮＩＴＥの特許微生物寄託センターに、受託番号：ＮＩＴＥ  Ｐ−０２１８４で寄託されている。
【００４０】
「廃液処理方法」とは、廃液中の油脂を分解／資化して浄化水へと処理する方法であり、一般的には、処理プロセスが単純であり、ランニングコストも低い活性汚泥法が広く採用されている。活性汚泥法とは、廃液中に酸素を供給することで好気性条件を保ち、好気性微生物の代謝作用を利用して油脂を分解／資化する方法を意味する。
【００４１】
「所定の標準的廃液処理条件」とは、温度、廃液の量、菌体の量、酸素供給量などに関する諸条件であり、本発明を実施する環境に応じて適切に変更されるものである。例えば、夏季や冬季など、廃液の温度が高く（又は低く）、ヤロワイヤ属の酵母株及びロドコッカス属の放線菌株の活性が低い条件下では、廃液の量を減らし、かつ、菌体の量を増やす変更が考えられる。
【００４２】
「凝集分離工程」とは、沈殿槽内に廃液を静置して沈殿物と上澄液とに固液分離する工程を意味する。凝集分離工程によって生じる沈殿物は、特に油脂微粒子中の未分解有機物、鉱物、菌体を含むものである。なお、凝集分離工程において、油脂凝集物は、密度が水よりも大きい場合には重力の作用で沈殿して沈殿物として回収され、密度が水よりも小さい場合には浮上処理によって水上に浮上し、必要に応じてスキマーなどによって回収される。そのため、用語「凝集・分離」には、油脂が凝集して沈殿する作用及び水上に浮上する作用を含む。
【００４３】
「油脂微粒子」とは、微粒子状の油脂を意味し、水溶性コロイドとも称される。油脂微粒子は、廃液中では表面が親水性膜で覆われた粒子径が１μｍ以下のコロイド粒子の状態で存在し、表面がアニオンに帯電している。つまり、油脂微粒子は、廃液中ではお互いに電気的に反発して廃液中において漂い、長時間放置しても沈殿しない性質を有する。
【００４４】
「凝結剤」とは、油脂微粒子を凝結して、小さいフロック（flock：集合体）の形成を促進する製剤（物質）を意味する。「カチオン性凝結剤」は、カチオン荷電を有する凝結剤であり、無機系凝結剤及び有機系凝結剤を含む。無機系凝結剤は、塩化第二鉄、ポリ鉄、ポリ塩化アルミ、ポリ硫化アルミニウム（硫酸バンド）、ポリ塩化アルミニュウム（ＰＡＣ：Poly Aluminum Chloride）、ポリ硫酸鉄を含む。分子量５００〜６００のポリ硫酸鉄がより好ましい。有機系凝結剤は、ポリダドマック系のポリジメチルジアリルアンモニュウムクロライド、ジシアンジアミド系のジシアンジアミド樹脂の４級アンモニュウム塩、ポリアミン系のジメチルアミンとエピクロルヒドリンの重縮合物を含む。
【００４５】
上記のカチオン性凝結剤のカチオン荷電は、油脂微粒子表面を電気的に中和することで、油脂微粒子を分子間力によって凝結させて、マイクロフロック（小さな凝結物）を形成させる。このようなカチオン性凝結剤の性質は、エマルジョン（つまり、油脂微粒子のコロイド状態）を破壊せずに乳化したままで油脂微粒子の凝結を可能にする。なお、ロドコッカス属の放線菌株は油脂微粒子の内部に存在し、ヤロワイヤ属の酵母株は油脂微粒子の表面に存在するので、凝結剤を用いて油脂微粒子を凝結すると、これらの菌体も凝結される。
【００４６】
「凝集剤」とは、凝結剤によって形成された小さいフロックをさらに凝集して、大きいフロック形成を促進する製剤（物質）を意味する。凝集剤は、天然物系としてはアニオン系のアルギン酸ナトリウム、カルボキシルメチルセルロース、カチオン系のキトサン、でんぷんなど等を含み、合成物としてはアニオン系ではポリアクリルアマイドの部分加水分解物、カチオン系ではアミンホルマリン縮合物、ポリアミノアルキルアクリレート、ポリアクリルアマイドの共重合物等を含む。
【００４７】
一般には、凝集剤として使用する水溶性コロイド剤は電荷をもっているので、微生物生成物等や酵母を凝集するには相対する電荷の大きさで選択すればよい。荷電量の大きさはコロイド値を用いることができ、コロイド値の測定法としては、遠心管に試料１００ｍｌを摂り、３０００回転／分３分間遠心沈殿させ、上澄み液１０ｍｌをホールピペットにて採取し２００ｍｌのトールビーカーに入れて純水を１００ｍｌ加える。この液に１／２００Ｎメチルグリコールキトサン（Ｍｇｃｈ）を溶液２ｍｌ加え撹拌し、指示薬としてＴＢ１〜２滴加え、１／４００Ｎポリビニル硫酸カリウム（ＰＶＳＫ）溶液にて滴定（Ｂ  ｍｌ）し、同様にブランクを測定（Ａ  ｍｌ）する。この計算式は下記の通りである。
コロイド値（当量）＝（Ｂ−Ａ）／１０（ｍＬ）×１／４００×１０００（ｍｅｑ／Ｌ）
【００４８】
細菌や酵母の表面はアニオンでマイナスにチャージし、水中に分散する形態で存在するので、ポリ硫酸鉄などの正の荷電を有する物質と結合させたのち、高分子水溶性コロイド物質である凝集剤を加えて粗大化させて凝集させる。高分子水溶性凝集剤にはポリグルタミン酸、ポリアクリルアマイドなどがある。
【００４９】
本願発明では、菌体生成物等に過剰にカチオン凝結剤が付着するので、アニオン性凝集剤が望ましく、アニオン性コロイド値としてはマイナス０．１ｍｅｑ／ｇからマイナス５．０ｍｅｑ／ｇを有し、好ましくはマイナス０．３ｍｅｑ／ｇからマイナス３．０ｍｅｑ／ｇを有するものである。
【実施例１】
【００５０】
以下に本発明の具体的な一実施形態を説明する。先ず実施例１として、実験室レベルでの廃液処理方法と、この方法による解析結果を説明する。
【００５１】
ロドコッカス属の放線菌株であるＰＲ−０４株は、以下の組成のＹＢ培地で前培養した。
＜前培養用のＹＢ培地＞
・グルコース（和光純薬工業）：１０ｇ
・酵母エキス（DIFCOLABORATOREIS）：１０ｇ
・硫酸マグネシウム・７水和物（ＭｇＳＯ４・７Ｈ２Ｏ、和光純薬工業）：０．２ｇ
・塩化カルシウム・２水和物（ＣａＣｌ２・２Ｈ２Ｏ、和光純薬工業）：０．１３２ｇ
・塩化ナトリウム（ＮａＣｌ、和光純薬工業）：０．１ｇ
・塩化鉄（ＩＩＩ）・６水和物（ＦｅＣｌ３・Ｈ２Ｏ、和光純薬工業）：０．０１ｇ
・硫酸アンモニウム（（ＮＨ４）２ＳＯ４、和光純薬工業）：０．５ｇ
これらを清水に溶解し、１０００ｍｌまでメスアップし、ｐＨ７．２に調製した後に、１２１℃で１５分間のオートクレーブ処理を行った。
【００５２】
ヤロワイヤ属の酵母株であるＨＹ−２３株は、以下の組成のＹＭ培地で前培養した。
＜前培養用のＹＭ培地＞
・グルコース（和光純薬工業）：１０ｇ
・硫酸アンモニウム（（ＮＨ４）２ＳＯ４、和光純薬工業）：０．５ｇ
・リン酸１水素２カリウム（Ｋ２ＨＰＯ４、和光純薬工業）：０．５ｇ
・硫酸マグネシウム・７水和物（ＭｇＳＯ４／７Ｈ２Ｏ、和光純薬工業）：０．２５ｇ
これらを清水に溶解し、１０００ｍｌまでメスアップし、ｐＨ６．８に調製した後に、１２１℃で１５分間のオートクレーブ処理を行った。
【００５３】
ＰＲ−０４株単独での油脂分解／資化効率を測定するために、１Ｌの解析用培地に、ＰＲ−０４株の前培養物を０．５ｍｌ加え、ジャーファンメーター（Jar fermentor）の中で、１Ｌの培地に対して１分間に１０００ｍｌの空気を供給する酸素供給条件、５００ｒｐｍの攪拌条件、かつ２８℃の温度条件の下で４日間培養を行った。
【００５４】
また、ＰＲ−０４株及びＨＹ−２３株の協働での油脂分解／資化効率を測定するために、解析用培地にＰＲ−０４株及びＨＹ−２３株の前培養物を０．５ｍｌ加え、ＰＲ−０４株単独の時と同一培養条件（すなわち、１Ｌの解析用培地、ジャーファンメーター（Jar fermentor）の中で、１Ｌの培地に対して１分間に１０００ｍｌの空気を供給する酸素供給条件、５００ｒｐｍの攪拌条件、かつ２８℃の温度条件の下で４日間）の下で培養を行った
【００５５】
また、比較例（培養処理前）として、上記の菌株を添加せずに同一培養条件で処理したものを調製した。
【００５６】
なお、解析用培地は、上記の前培養用のＹＢ培地から炭素源としてのグルコースを除き、その代わりにＣ重油を１０００ｍｇ添加したものである。
【００５７】
４日間の振盪養後、これらの培養液に対して、凝結剤としての塩化第二鉄（日鉄化学）２００ｍｇ／Ｌと、凝集剤としてのエルビックセトラーＰＡ２５Ｓ（日之出産業（株））１０ｍｇ／ｍｌとを加えて、凝集沈殿処理を行った。
【００５８】
厚生省の定める水質環境分析法に準じ、凝集沈殿処理の前後でＣＯＤ（化学的酸素要求量：Chemical Oxygen Demand）及びヘキサン抽出物の残留量を測定した。この測定結果は、図１に示すとおりである。
【００５９】
図１に示すとおり、ＰＲ−０４株単独での凝集沈殿後上澄み液には、１５．２ｍｇ／Ｌのヘキサン抽出物が残留しており、日本国環境省が定める排出基準（ノルマルヘキサン抽出物質含有量：５ｍｇ／Ｌ）を満足するものではない。しかしながら、ＰＲ−０４株と株とを組み合わせたものではヘキサン抽出物は１．２５ｍｇ／Ｌまで低減されており、排出基準を満足するものとなっている。
【００６０】
このように、実施例１の廃液処理方法では、従来技術に比べて油脂分解／資化効率が顕著に改善されている。なお、２８℃で１日の油脂分解／資化工程の処理期間であっても、本発明は、従来技術に比べて顕著な油脂分解／資化効率を奏することも分かっている。
【実施例２】
【００６１】
次に、実施例２として、上記の廃液処理方法を実行する廃液処理システムの一例を説明する。廃液処理システムは、最も単純なものとして図２に示すように曝気槽１０と、凝集沈殿槽２０と、汚泥返送機構３０とを有する。
【００６２】
曝気槽１０は、油脂分解／資化槽とも称され、ヤロワイヤ属の酵母株と、ロドコッカス属の放線菌株とを用いて油脂の分解／資化を行うタンク又は区画である。具体的は、曝気槽１０には、廃液を好気性条件に保持し、かつ廃液を攪拌するための酸素供給機構（ブロワ）が備えられる。なお、必要に応じて、廃液の温度を調節するための温度調節機構（ヒータなど）を更に備えても良い。
【００６３】
曝気槽１０へ流入する廃液は、油脂を含むものであり、この油脂は曝気槽１０へ添加されえるヤロワイヤ属の酵母株と、ロドコッカス属の放線菌株とによって分解／資化される。これらの菌株の添加は、特に限定されないが、例えば、前培養液を直接添加する方法や、培養ケーキ又は培養粉末を添加する方法が採用される。なお、更に、廃液に他の微生物（バチルス属、他の放線菌、酵母など）を添加しても良い。また、廃液には、糸状性バルキングを抑制するための抑制剤、微生物の活性を促進する活性化剤、消泡剤、消臭剤、ペクチン除去剤などを添加してもよい。また必要に応じて廃液のｐＨを調製してもよい。
【００６４】
曝気槽１０における曝気処理（すなわち廃液処理）の処理条件は、経験的に定められるものであっても良いし、又は、ＢＯＤ（生物化学的酸素要求量：Biochemical oxygen demand）や、フロックの形成を指標として決定しても良い。
【００６５】
曝気槽１０において処理された廃液は、凝集沈殿槽２０に導入され、凝集沈殿工程に供される。特に、凝集沈殿槽２０の中に、油脂微粒子の凝集・沈殿を促進する凝結剤（特に、カチオン性凝結剤）及び凝集剤を添加することが好ましい。
【００６６】
凝集沈殿槽２０内で廃液を所定時間静置すると、廃液の固液分離が行われる。すなわち、密度が水よりも小さい油脂凝集物は水上に浮上する。また、密度が水よりも大きい油脂凝集物や凝集剤は沈殿して沈殿物になる。
【００６７】
その後、凝集沈殿槽２０における廃液の上澄み液は、必要に応じて浮上処理などを施し、スキマーなどの油脂回収装置によって油水分離が行われる。分離した水は、浄化水として排出される。このとき、浄化水におけるノルマルヘキサン抽出物質含有量は、５ｍｇ／Ｌ以下である。また、分離した油脂は、別途廃棄処理される。
【００６８】
凝集沈殿槽２０における沈殿物は、汚泥返送機構３０に送られる。汚泥返送機構３０は、沈殿物の一部を返送汚泥として曝気槽１０へ返送し、残りの沈殿物を脱水して、脱水汚泥として廃棄する機構である。
【００６９】
上述のように、実施例２の廃液処理システムでは、ヤロワイヤ属の酵母株と、ロドコッカス属の放線菌株とを用いて油脂の分解／資化が行われる。ヤロワイヤ属の酵母株と、ロドコッカス属の放線菌株とを用いた場合の油脂分解／資化効率は実施例１において実証されたとおり、従来技術に比べて改善されたものである。
【００７０】
また、実施例２の廃液処理システムでは、凝結剤及び凝集剤を用いて油脂微粒子が凝集・沈殿される。この時、ロドコッカス属の放線菌株は油脂微粒子の内部に存在し、ヤロワイヤ属の酵母株は油脂微粒子の表面に存在する。そのため、実施例２の廃液処理システムでは、これらの微生物を効率よく回収することができる。
【００７１】
また、実施例２の廃液処理システムは、ロドコッカス属の放線菌株と、ヤロワイヤ属の酵母株とを用いて油脂を分解／資化することを主たる特徴とするため、既存の廃液処理施設等において、何ら設備変更をせずに実施することができる。すなわち、設備投資などのコスト面においても本発明は有用である。
【００７２】
なお、凝集沈殿槽２０における廃液の固液分離は、ろ過材を用いて実行することもできる。ろ過膜は、中空糸や平膜状の精密ろ過膜（ＭＦ膜)から限界ろ過膜（ＵＦ膜）を含む。ろ過膜の素材は、セラミックやポリフッ化ビニリデン等の高分子が一般的であるが、ろ過膜の種類や素材は、廃液の種類など、目的に合わせて選択することが可能である。
【実施例３】
【００７３】
次に、実施例３として、廃液処理システムの他の一例を説明する。実施例３の廃液処理システムは、実施例２の廃液処理システムとは以下の点で異なる。
【００７４】
図３に示すように、曝気槽１０は、微細気泡発生装置４０及び凝集分離槽５０に接続される。微細気泡発生装置４０は、曝気槽１０に対して微細気泡（マイクロバブル）を供給する装置である。
【００７５】
微細気泡とは、主要な気泡の直径が２００μｍ以下の気泡である。微細気泡は、例えば、せん断流による気液界面の不安定化による方法（具体的には、ベンチュリー管、オリフィス方式等のような管の径を絞る絞り機構を用いる方法）によって調製される。これらは微細気泡を発生するとともに吸い込んだ液体中の固形物も微細分化（ホモジナイズ効果）する機能を有し、生成する汚泥をフロック化しない役割を奏する。
【００７６】
微細気泡が曝気槽１０へ供給されると、曝気槽１０内でのフロックの形成が抑制され、その結果、曝気槽１０から凝集沈殿槽２０へ導入される廃液において、油脂は主に微粒子の状態で存在する。
【００７７】
凝集分離槽５０では、凝結剤（特に、カチオン性凝結剤）及び凝集剤を用いて廃液の固液分離が行われる。この時、微細気泡の添加によってフロックの形成が抑制された結果、凝集分離槽５０内での固液分離は、実施例２の凝集沈殿槽２０よりも効率良く行われる。なお、凝集分離槽５０では、主な油脂凝集物は水上に浮上し、凝集物として脱水機構６０へ送られる。
【００７８】
脱水機構６０は、油脂凝集物を、例えばプレスによって脱水して、脱水汚泥として廃棄する機構である。
【００７９】
以上のように、実施例３の廃液処理システムでは、曝気槽１０でのフロックの形成を抑制することによって、凝集分離槽５０内での固液分離を効率良く行うことができる。
【００８０】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【００８１】
特に、本書に記載した数値範囲については、当該範囲内に含まれる任意の数値ないし小範囲が、別段の記載のない場合でも具体的に記載されているものと解釈されるべきである。
なお、本発明は以下の好ましい形態も有する。
（形態１）
油脂粒子の表面において油脂を分解／資化するヤロワイヤ属（Yarrowai）の酵母株と、油脂粒子の内部において油脂を分解／資化するロドコッカス属（Rhodococcus）の放線菌株とを添加して廃液中の油脂を分解／資化させる油脂分解／資化工程を含む廃液処理方法。
（形態２）
前記油脂分解／資化工程による処理後の浄化水におけるノルマルヘキサン抽出物質含有量が、５ｍｇ／Ｌ以下となるよう処理することを特徴とする形態１に記載の廃液処理方法。
（形態３）
前記ヤロワイヤ属の酵母株が、ＨＹ−２３株であることを特徴とする形態２に記載の廃液処理方法。
（形態４）
前記ロドコッカス属の放線菌株が、ＰＲ−０４株であることを特徴とする形態１〜３のいずれか１つに記載の廃液処理方法。
（形態５）
前記油脂分解／資化工程による処理の後に、凝集剤及び／又は凝結剤を用いて固液分離する凝集分離工程を更に含む形態１〜４のいずれか１つに記載の廃液処理方法。
（形態６）
常温の好気性条件下での前記油脂分解／資化工程の処理期間の後で、
前記凝集分離工程後の上澄み液におけるノルマルヘキサン抽出物質含有量が５ｍｇ／Ｌ以下となることを特徴とする形態５に記載の廃液処理方法。
（形態７）
前記凝結剤がカチオン性凝結剤であることを特徴とする形態５又は６に記載の廃液処理方法。
（形態８）
前記カチオン性凝結剤が、ポリ鉄及び／又はポリアルミニュウム凝結剤であることを特徴とする形態７に記載の廃液処理方法。
（形態９）
前記凝集剤が、コロイド値としてマイナス０．１ｍｅｑ／ｇからマイナス５．０ｍｅｑ／ｇを有することを特徴とする形態７に記載の廃液処理方法。
（形態１０）
油脂粒子の表面において油脂を分解／資化するヤロワイヤ属（Yarrowai）の酵母株と油脂粒子の内部において油脂を分解／資化するロドコッカス属（Rhodococcus）の放線菌株とによって、廃液中の油脂を分解／資化する油脂分解／資化槽を備えた廃液処理システム。
（形態１１）
前記油脂分解／資化槽の下流に接続され、凝集剤を用いて固液分離する凝集沈殿槽又は凝集分離槽を更に備えた形態１０に記載の廃液処理システム。
【符号の説明】
【００８２】
１０    曝気槽
２０    凝集沈殿槽
３０    汚泥返送機構
４０    微細気泡発生装置
５０    凝集分離槽
６０    脱水機構
【図１】
0006443320.tif 000002
【図２】
0006443320.tif 000003
【図３】
0006443320.tif 000004